(57)【特許請求の範囲】
【請求項１】
所定の条件に従って、ユーザ装置と特定の対話相手の装置との間で交換される複数のメッセージを分類することによって、少なくとも１つの対話グルーピング情報を生成する過程と；
前記生成された少なくとも１つの対話グルーピング情報を格納する過程と；
対話機能画面に前記格納された少なくとも１つの対話グルーピング情報に該当する表示アイテムを出力する過程と；
前記表示アイテムの少なくとも１つを選択するユーザ入力を受信する過程と；
前記表示アイテムの少なくとも１つを選択する前記ユーザ入力に応じて、前記選択された表示アイテムに対応する前記少なくとも１つの対話グルーピング情報に分類された前記複数のメッセージを表示する過程と；
前記選択された表示アイテムに対応する前記少なくとも１つの対話グルーピング情報に分類された前記複数のメッセージを表示している間、新たな対話を開始するためのユーザ要請に応じて、少なくとも１つの新たなメッセージを書き込むためのユーザ入力を受信する画面を表示する過程と；
前記特定の対話相手の装置に前記ユーザ入力に対応する前記少なくとも１つの新たなメッセージを送信する過程と；
前記ユーザ入力に対応する前記少なくとも１つの新たなメッセージを、既に表示されている前記選択された表示アイテムに対応する前記複数のメッセージに関連付けて登録する過程と；
前記選択された表示アイテムに対応する前記複数のメッセージと前記ユーザ入力に対応する前記少なくとも１つの新たなメッセージとを時系列に表示する過程と；を含み、
前記表示アイテムを出力する過程は、
定められたサイズの基部領域と、前記基部領域の端部に形成された側面領域とを出力する過程を含み、
さらに、前記基部領域に、
前記対話グルーピング情報が生成された時間情報を提示する時間領域と、前記対話グルーピング情報の重要度を設定する重要度領域と、前記対話グルーピング情報の対話情報に含まれた有意味な単語で構成されたタッグを提示するタッグ領域と、前記対話グルーピング情報と関連した内容を提示する内容領域とを出力する過程を含むことを特徴とするメッセージベースの対話機能運用方法。
【請求項２】
前記少なくとも１つの対話グルーピング情報を生成する過程は、
既定の一定時間、一定時間間隔及び日付別のうち少なくとも１つに達した場合、送受信された対話情報を対話グルーピング情報として生成する過程と；
前記対話機能運用中に送受信される対話情報が一定時間の間にない場合、以前対話情報を対話グルーピング情報として生成する過程と；
前記対話機能終了のための入力信号を受信する場合、前記入力信号受信以前まで送受信された対話情報を対話グルーピング情報として生成する過程と；
前記対話情報の分量が既定の分量に該当する場合、当該分量に含まれた送受信された対話情報を対話グルーピング情報として生成する過程と；
前記対話機能終了を指示する文句が検索される当該文句を含む以前送受信された対話情報を対話グルーピング情報で生成する過程と；
前記対話情報のグルーピング要請に該当する入力信号を受信する場合、当該入力信号受信以前に送受信された対話情報を対話グルーピング情報として生成する過程と；
前記対話情報のうち特定対話情報のみを別に選択し、対話グルーピング情報を生成するように要請する信号を受信する過程と；のうちいずれか１つの過程を含むことを特徴とする請求項１に記載のメッセージベースの対話機能運用方法。
【請求項３】
前記表示アイテムを出力する過程は、
前記対話グルーピング情報を指示するアイコンタイプの表示アイテムを出力する過程と；
前記対話グルーピング情報に含まれた対話情報のうち少なくとも一部の内容が一定領域に表示される高速閲覧画面タイプの表示アイテムを出力する過程と；のうち少なくとも１つの過程を含むことを特徴とする請求項１又は２に記載のメッセージベースの対話機能運用方法。
【請求項４】
前記側面領域を出力する過程は、
前記対話グルーピング情報に分類された前記複数のメッセージの個数に応じて前記側面領域の厚さまたは重畳数が異なるように表示されることを特徴とする請求項１に記載のメッセージベースの対話機能運用方法。
【請求項５】
前記基部領域を出力する過程は、
前記対話グルーピング情報の重要度によって前記基部領域の色相が異なるように出力される過程；を含むことを特徴とする請求項１に記載のメッセージベースの対話機能運用方法。
【請求項６】
前記基部領域を出力する過程は、
前記表示アイテムの検索回数によって前記基部領域の色相が変化して出力される過程；を含むことを特徴とする請求項１に記載のメッセージベースの対話機能運用方法。
【請求項７】
前記重要度領域に設定された重要度によって前記対話グルーピング情報が表示部に出力される位置が変化する過程；をさらに含むことを特徴とする請求項１に記載のメッセージベースの対話機能運用方法。
【請求項８】
前記内容領域を出力する過程は、
前記対話グルーピング情報に含まれた対話情報のうち最も長い内容を含む対話情報のうち少なくとも一部の内容が前記内容領域に出力される過程と；
前記対話情報に含まれた有意味な単語のうち頻度数が最も高い単語が最も多く含まれた対話情報のうち少なくとも一部の内容が前記内容領域に出力される過程と；
入力部から入力された信号によって作成された一定内容が前記内容領域に出力される過程と；
前記対話グルーピング情報内の対話個数を出力する過程と；のうち少なくとも１つの過程を含むことを特徴とする請求項１に記載のメッセージベースの対話機能運用方法。
【請求項９】
前記表示アイテムを出力する過程は、
前記対話グルーピング情報に分類された前記複数のメッセージの個数に応じて前記側面領域の厚さまたは重畳数が異なるように表示される場合に、前記複数のメッセージの存在を示す検索のための折れたエッジ領域を出力する過程；をさらに含むことを特徴とする請求項１に記載のメッセージベースの対話機能運用方法。
【請求項１０】
前記表示アイテムを出力する過程は、
前記折れたエッジ領域でタッチイベントになれば、前記タッチイベントによって上部に位置する表示アイテムを除去しながら、下部に位置する表示アイテムを露出させる過程と；
前記対話グルーピング情報に含まれた対話のうち少なくとも一部の対話を含む高速閲覧画面タイプの表示アイテムを前記折れたエッジ領域で発生するタッチイベントによって順次に表示する過程と；のうち少なくとも１つの過程をさらに含むことを特徴とする請求項９に記載のメッセージベースの対話機能運用方法。
【請求項１１】
前記表示アイテムを出力する過程は、
定められたサイズの基部領域と、前記基部領域の端部領域で巻かれた形状で構成されるロール領域を出力する過程と；
前記対話グルーピング情報が生成された時間情報を出力する時間領域を出力する過程と；
前記対話グルーピング情報の重要度を設定する重要度領域を出力する過程と；
前記対話グルーピング情報の対話情報に含まれた有意味な単語で構成されたタッグが出力されるタッグ領域を出力する過程と；
前記対話グルーピング情報と関連した内容が記載される内容領域を出力する過程と；を含むことを特徴とする請求項１に記載のメッセージベースの対話機能運用方法。
【請求項１２】
前記対話グルーピング情報に含まれた対話情報の分量によって前記ロール領域の巻かれた回数や厚さを異なるように調整する過程；をさらに含むことを特徴とする請求項１１に記載のメッセージベースの対話機能運用方法。
【請求項１３】
前記高速閲覧画面タイプの表示アイテムを出力する過程は、
前記対話グルーピング情報に含まれた対話情報のうち少なくとも一部の内容が表示される一定領域を出力する過程と；
前記一定領域の端部領域に設けられた側面領域を出力する過程と；を含むことを特徴とする請求項３に記載のメッセージベースの対話機能運用方法。
【請求項１４】
前記高速閲覧画面タイプの表示アイテムを出力する過程は、
複数個が重畳された前記高速閲覧画面タイプの表示アイテムが複数個画面上に積み重ねられる場合に、前記アイコンタイプの積み重ねられた表示アイテムの存在を示す検索のための折れたエッジ領域を出力する過程；をさらに含むことを特徴とする請求項１３に記載のメッセージベースの対話機能運用方法。
【請求項１５】
前記高速閲覧画面タイプの表示アイテムを出力する過程は、
前記エッジ領域で発生するドラッグイベントによって上部に配置された高速閲覧画面タイプの表示アイテムを一定方向に除去しながら下部に表示された高速閲覧画面タイプの表示アイテムを露出させる過程と；
一定距離以上に上部高速閲覧画面タイプの表示アイテムが移動すれば、画面で当該表示アイテムを除去する過程と；
除去された表示アイテムを前記重畳された高速閲覧画面タイプの表示アイテムの最下位に配置させる過程と；をさらに含むことを特徴とする請求項１４に記載のメッセージベースの対話機能運用方法。
【請求項１６】
前記高速閲覧画面タイプの表示アイテムを出力する過程は、
前記側面領域のうち一定厚さの側面を選択するための一定位置をタッチした後、一定方向にタッチした前記一定厚さの側面領域を移動させるタッチイベントを収集する過程と；
前記タッチイベントによって一定厚さの側面領域に該当する高速閲覧画面タイプの表示アイテムを前記一定方向に曲がるように移動させながら移動によって露出した領域に下部他の高速閲覧画面タイプの表示アイテムを露出させる過程と；
前記側面領域が一定距離以上に移動することによって曲がって移動した高速閲覧画面タイプの表示アイテムのうちタッチイベントが解除された表示アイテムを元々の位置に復帰させることによって、一定領域を露出させる過程と；をさらに含むことを特徴とする請求項１３〜１５のいずれか１項に記載のメッセージベースの対話機能運用方法。
【請求項１７】
前記高速閲覧画面タイプの表示アイテムを出力する過程は、
定められたサイズで構成された前記対話グルーピング情報に含まれた対話情報のうち少なくとも一部の内容が表示される一定領域を出力する過程と；
前記一定領域の端部領域に一定方向に巻かれた形状のロール領域を出力する過程と；を含むことを特徴とする請求項３に記載のメッセージベースの対話機能運用方法。
【請求項１８】
前記高速閲覧画面タイプの表示アイテムを出力する過程は、
前記一定領域内にスクロールイベントが発生する過程と；
前記スクロールイベント発生によって前記一定領域内に出力される対話情報の一部の内容を当該対話グルーピング情報に含まれている他の対話情報に交替出力する過程；及び
前記スクロールイベント発生によって前記ロール領域を一定方向に回転させる過程と；のうち少なくとも１つの過程を含むことを特徴とする請求項１７に記載のメッセージベースの対話機能運用方法。
【請求項１９】
前記重要度は、
様々な段階に設定可能であることを特徴とする請求項１に記載のメッセージベースの対話機能運用方法。
【請求項２０】
前記表示アイテムを出力する過程は、
対話情報が表示された画面で一定方向のスクロールイベントを検出する過程と；
前記スクロールイベントが検出されると、前記少なくとも１つの対話グルーピング情報に該当するアイコンタイプの表示アイテムを画面の一側に出力する過程と；を含むことを特徴とする請求項１〜１９のいずれか１項に記載のメッセージベースの対話機能運用方法。
【請求項２１】
前記表示アイテムを出力する過程は、
前記アイコンタイプの表示アイテムのうちいずれか１つの表示アイテムを選択するためのイベントが収集されれば、前記対話グルーピング情報に含まれた対話情報のうち少なくとも一部の内容が一定領域に出力される高速閲覧画面タイプの表示アイテムを出力し、前記高速閲覧画面タイプの表示アイテムが選択されれば、当該対話グルーピング情報に含まれた対話情報を画面全体を利用して出力する過程と；
前記アイコンタイプの表示アイテムのうちいずれか１つの表示アイテムの対話情報全体表示のためのイベントが収集されれば、前記対話グルーピング情報に含まれた対話情報を画面全体を利用して出力する過程と；のうちいずれか１つの過程をさらに含むことを特徴とする請求項２０に記載のメッセージベースの対話機能運用方法。
【請求項２２】
前記表示アイテムを出力する過程は、
前記アイコンタイプの表示アイテムのうち特定の表示アイテム選択のための入力信号以後に当該表示アイテムを移動させるドラッグイベント発生時、前記ドラッグイベントによって選択された表示アイテムの位置を画面で変更する過程；をさらに含むことを特徴とする請求項２０に記載のメッセージベースの対話機能運用方法。
【請求項２３】
前記表示アイテムのうちいずれか１つの表示アイテムが選択される過程と；
前記選択された表示アイテムと統合する他の表示アイテムが選択される過程と；
選択された２つの表示アイテムに該当する対話グルーピング情報を統合する過程と；
前記統合された対話グルーピング情報に該当する表示アイテムを新たに生成及び出力する過程と；をさらに含むことを特徴とする請求項１〜２２のいずれか１項に記載のメッセージベースの対話機能運用方法。
【請求項２４】
前記表示アイテムのうちいずれか１つの表示アイテムが選択される過程と；
前記選択された表示アイテムの対話情報を区分するタッチイベントを受信する過程と；
前記タッチイベントによって前記表示アイテムの対話情報を区分し、２つの対話グルーピング情報に分割する過程と；
分割された対話グルーピング情報に該当する表示アイテムを生成及び出力する過程と；をさらに含むことを特徴とする請求項１に記載のメッセージベースの対話機能運用方法。
【請求項２５】
前記表示アイテムを出力する過程は、
前記対話グルーピング情報に含まれた対話情報の分量によって前記表示アイテムの領域を増やす過程と；
前記対話グルーピング情報に含まれた対話情報の分量によって出力される対話情報の少なくとも一部の出力サイズをリサイジングして出力する過程と；のうち少なくとも１つの過程を含むことを特徴とする請求項１〜２４のいずれか１項に記載のメッセージベースの対話機能運用方法。
【請求項２６】
前記対話グルーピング情報を対話相手が共有しているかを確認する過程と；
前記対話相手が前記対話グルーピング情報を共有しない場合、前記対話グルーピング情報を対話相手に伝送する過程と；をさらに含むことを特徴とする請求項１〜２５のいずれか１項に記載のメッセージベースの対話機能運用方法。
【請求項２７】
表示部と；
所定の条件に従って、当該端末機と特定の対話相手の装置との間で交換される複数のメッセージを分類することによって、少なくとも１つの対話グルーピング情報を生成し、
前記生成された少なくとも１つの対話グルーピング情報を格納部に格納し、
対話機能画面に前記格納された少なくとも１つの対話グルーピング情報に該当する表示アイテムを前記表示部に表示し、
前記表示アイテムの少なくとも１つを選択するユーザ入力を受信し、
前記表示アイテムの少なくとも１つを選択する前記ユーザ入力に応じて、前記選択された表示アイテムに対応する前記少なくとも１つの対話グルーピング情報に分類された前記複数のメッセージを前記表示部に表示し、
前記選択された表示アイテムに対応する前記少なくとも１つの対話グルーピング情報に分類された前記複数のメッセージを表示している間、新たな対話を開始するためのユーザ要請に応じて、少なくとも１つの新たなメッセージを書き込むためのユーザ入力を受信するための画面を表示し、
前記特定の対話相手の装置に前記ユーザ入力に対応する少なくとも１つの新たなメッセージを送信し、
前記ユーザ入力に対応する前記少なくとも１つの新たなメッセージを、既に表示されている前記選択された表示アイテムに対応する複数のメッセージに関連付けて登録し、
前記選択された表示アイテムに対応する前記複数のメッセージと前記ユーザ入力に対応する前記少なくとも１つの新たなメッセージとを時系列に前記表示部に表示するよう制御する制御部と；を含み、
前記表示アイテムは、
前記表示アイテムの検索回数によって色相が変化するか、前記対話グルーピング情報の重要度によって色相が異なるように出力される定められたサイズの基部領域と；
前記基部領域の端部に形成され、前記対話グルーピング情報の個数によって厚さや重畳数が異なるように表示される側面領域または前記対話グルーピング情報に含まれた対話情報の分量によって巻かれた回数や巻かれる厚さが異なるように調整されるロール領域と；
前記対話グルーピング情報が生成された時間情報を出力する時間領域と；
設定された重要度によって前記対話グルーピング情報が表示部に出力される位置が変化する前記対話グルーピング情報の重要度を設定する重要度領域と；
前記対話グルーピング情報の対話情報に含まれた有意味な単語で構成されたタッグが出力されるタッグ領域と；
前記対話グルーピング情報に含まれた対話情報のうち一部の内容、ユーザが記入した特定内容、前記対話グルーピング情報に含まれた対話情報の個数のうち少なくとも１つが表示される内容領域と；
複数個が累積して表示されたアイコンタイプの表示アイテムの重畳された下部に配置されるアイコンタイプの表示アイテム検索可能を指示する折れたエッジ領域と；を含むことを特徴とするメッセージベースの対話機能サポート端末機。
【請求項２８】
前記表示部は、
前記対話グルーピング情報を指示するアイコンタイプの表示アイテムと；
前記対話グルーピング情報に含まれた対話情報のうち一部が一定領域に出力される高速閲覧画面タイプの表示アイテムと；のうち少なくとも１つを出力することを特徴とする請求項２７に記載のメッセージベースの対話機能サポート端末機。
【請求項２９】
前記重要度領域は、
前記重要度の段階に応じて、形状、イメージ、アイコン、テキスト、色、または明暗を異ならせて表示することを特徴とする請求項２７に記載のメッセージベースの対話機能サポート端末機。
【請求項３０】
前記高速閲覧画面タイプの表示アイテムは、
前記対話グルーピング情報に含まれた対話情報のうち少なくとも一部の内容が表示される一定領域と；
前記一定領域の端部領域に設けられた側面領域または一定領域の端部領域に一定方向に巻かれた形状のロール領域と；
複数個が重畳された前記高速閲覧画面タイプの表示アイテムのうち下部表示アイテム検索可能を指示する折れたエッジ領域と；のうち少なくとも１つを含むことを特徴とする請求項２８又は２９のいずれか１項に記載のメッセージベースの対話機能サポート端末機。
【請求項３１】
前記制御部は、
前記エッジ領域で発生するタッチイベントによって上部に配置された前記高速閲覧画面タイプの表示アイテムを一定方向に除去しながら下部に表示された前記高速閲覧画面タイプの表示アイテムを露出させるように制御し、一定距離以上に上部高速閲覧画面タイプの表示アイテムが移動すれば、画面で当該表示アイテムを除去して表示されるように制御するか、
前記エッジ領域で発生するタッチイベントによって前記対話グルーピング情報に含まれた対話のうち少なくとも一部の対話を含む前記高速閲覧画面タイプの表示アイテムを前記折れたエッジ領域で発生するタッチイベントによって順次に表示するように制御することを特徴とする請求項３０に記載のメッセージベースの対話機能サポート端末機。
【請求項３２】
前記制御部は、
前記一定領域内にスクロールイベントが発生すれば、前記一定領域内に出力される対話情報の一部の内容を当該対話グルーピング情報に含まれている他の対話情報に交替出力しながら、前記スクロールイベント発生によって前記ロール領域を一定方向に回転させて表示されるように制御することを特徴とする請求項３０に記載のメッセージベースの対話機能サポート端末機。
【請求項３３】
前記表示部は、
前記アイコンタイプの表示アイテムが選択されれば、アイコンタイプの表示アイテムに該当する対話グルーピング情報に含まれた対話情報のうち一部が一定領域に出力される高速閲覧画面タイプの表示アイテムに転換出力するか、前記対話グルーピング情報に含まれた対話情報を画面全体を利用して出力し、
前記高速閲覧画面タイプの表示アイテムが選択されれば、前記対話情報を画面全体を利用して出力することを特徴とする請求項２８に記載のメッセージベースの対話機能サポート端末機。
【請求項３４】
前記制御部は、
前記表示アイテムのうち２つの表示アイテムが選択されれば、選択された２つの表示アイテムに該当する対話グルーピング情報を統合し、前記統合された対話グルーピング情報に該当する表示アイテムを新たに生成及び出力するように制御することを特徴とする請求項２７又は３３に記載のメッセージベースの対話機能サポート端末機。
【請求項３５】
前記制御部は、
前記表示アイテムのうちいずれか１つの表示アイテムの対話情報を区分するタッチイベントを受信すれば、前記表示アイテムの対話情報を区分し、２つの対話グルーピング情報に分割し、分割された対話グルーピング情報に該当する表示アイテムを生成及び出力するように制御することを特徴とする請求項２９、３３又は３４に記載のメッセージベースの対話機能サポート端末機。
【請求項３６】
前記制御部は、
前記対話グルーピング情報に含まれた対話情報の分量によって前記表示アイテムの領域を増やすか、前記対話グルーピング情報に含まれた対話情報の分量によって出力される対話情報の少なくとも一部の出力サイズをリサイジングして出力するように制御することを特徴とする請求項３５に記載のメッセージベースの対話機能サポート端末機。
【請求項３７】
前記制御部は、
前記対話グルーピング情報を対話相手が共有しているかを確認し、前記対話相手が前記対話グルーピング情報を共有しない場合、前記対話グルーピング情報を対話相手に伝送するように制御することを特徴とする請求項２７〜３６のいずれか１項に記載のメッセージベースの対話機能サポート端末機。
【発明の詳細な説明】
【技術分野】
【０００１】
本発明は、端末機の対話機能運用に関し、特に通信サービス機能のうちメッセージをベースに支援される対話機能運用で収集される各対話情報をグルーピングし、一層容易な管理と検索及び利用を行うことができるように支援するメッセージベースの対話機能運用（ｍｅｓｓａｇｅ−ｂａｓｅｄ  ｃｏｎｖｅｒｓａｔｉｏｎ  ｏｐｅｒａｔｉｏｎ）方法及びこれを支援する端末機に関する。
【背景技術】
【０００２】
携帯端末機は、移動性をベースに通話機能を支援する端末機であって、その利用の便利性と携帯の容易性などによって非常に幅広い分野で用いられている。このような携帯端末機は、ユーザ機能提供のために多様な入力方式を提供している。例えば、従来、携帯端末機は、タッチパネルと表示部を含むタッチスクリーンを提供することによって、ユーザが表示部に出力される特定イメージを選択するために行う動作をタッチパネルで処理することができる。また、前記携帯端末機は、当該ユーザ動作によるタッチイベントを生成し、これをベースにユーザ機能に対応する応用プログラムを制御している。
【０００３】
一方、最近、多様な通信ネットワークの発展に伴い、メッセージングサービス機能の利用が急激に増加している。例えば、最近、ユーザは、１つの画面にメッセージ送信内容と受信内容をすべて含むことができる対話機能画面を通じて多様な対話をインスタント式で進行している傾向にある。
【０００４】
一方、端末機の表示部のサイズが大型化されているが、携帯用に製作される端末機の限界に起因して表示部のサイズが相変らず制限的なので、前述したメッセージ送受信ベースの対話機能画面運用に対する不便な点が多い。例えば、ユーザは、メッセージベースの対話機能を利用する中に多い対話情報をリアルタイムで取り交わすので、非常に多い内容の対話情報が短時間に登録される特徴がある。このような環境下で、従来、端末機は、サイズ制限がある表示部に多くの対話情報をすべて表示することができないので、それらのうち現在を基準にして一定時点の対話情報だけを表示する。結果的に、特定対話機能画面で以前に登録された対話情報を検索するためには、多くの量のスクロール制御を行わなければならないという問題点がある。また、一定速度以上のスクロール制御を行う場合、スクロール速度による対話情報表示速度を目で追い付きにくいため、結果的に、ユーザは、特定対話情報検索のためには、スクロール速度を緩めなければならないし、これにより、情報検索時間が長くなるか、所望の対話情報検索のための疲労度が大きいという不便さがあった。
【発明の概要】
【発明が解決しようとする課題】
【０００５】
したがって、本発明の目的は、対話情報をグルーピングして管理することによって、以前格納された対話情報の表示を効果的に行い、当該対話情報の検索と活用を一層容易で且つ迅速に、そして便利に利用することができるように支援するメッセージベースの対話機能運用方法及びこれを支援する端末機を提供することにある。
【課題を解決するための手段】
【０００６】
上記目的を達成するために、本発明は、メッセージベースの対話機能運用中に送受信された少なくとも１つの対話情報を一定条件によってグルーピングし、少なくとも１つの対話グルーピング情報を生成する過程と、前記生成された少なくとも１つの対話グルーピング情報を格納する過程と、前記メッセージベースの対話機能運用による対話機能画面に前記格納された少なくとも１つの対話グルーピング情報に該当する表示アイテムを出力する過程とを含むメッセージベースの対話機能運用方法の構成を開示する。
【０００７】
本発明は、また、メッセージベースの対話機能運用を支援する通信部と、前記メッセージベース対話機能のうち送受信された少なくとも１つの対話情報を一定条件によってグルーピングし、少なくとも１つの対話グルーピング情報を生成する制御部と、前記生成された少なくとも１つの対話グルーピング情報を格納する格納部と、前記メッセージベースの対話機能運用による対話機能画面に前記格納された少なくとも１つの対話グルーピング情報に該当する表示アイテムを出力する表示部とを含むメッセージベースの対話機能サポート端末機の構成を開示する。
【発明の効果】
【０００８】
本発明の実施例によるメッセージベースの対話機能運用方法及びこれを支援する端末機によれば、本発明は、多くの対話情報を既定の条件によって自動でまたはユーザ制御によって一定形態にグルーピングすることによって、対話情報の検索が容易に行うことができ、また、検索された対話情報を利用して追加的な対話機能を一層容易に行うことができ、グルーピングされた対話グルーピング情報の表示をさらに直観的で且つ効果的に行い、ユーザの情報検索を容易に行うように支援することができる。
【図面の簡単な説明】
【０００９】
【図１】図１は、本発明の実施例による端末機の構成を概略的に示すブロック図である。
【図２】図２は、図１の制御部構成の一例を詳しく示す図である。
【図３】図３は、本発明の実施例による対話機能運用方法を説明するための流れ図である。
【図４】図４は、本発明の実施例による対話情報及び対話グルーピング情報を一緒に示す画面例示図である。
【図５】図５は、本発明の対話グルーピング情報ベースの対話機能運用を説明するための画面例示図である。
【図６】図６は、本発明の対話グルーピング情報分割を説明するための画面例示である。
【図７】図７は、本発明の対話グルーピング情報統合を説明するための画面例示図である。
【図８】図８は、本発明の対話グルーピング情報の位置移動を説明するための画面例示図である。
【図９】図９は、本発明の対話グルーピング情報の整列機能を説明するための画面例示図である。
【図１０】図１０は、本発明の対話グルーピング情報検索方法を説明するための画面例示図である。
【図１１】図１１は、本発明の対話グルーピング情報のアイコンタイプ表示アイテムの第１形態を説明するための画面例示図である。
【図１２】図１２は、本発明の対話グルーピング情報の高速閲覧画面タイプの表示アイテムの第１形態を説明するための画面例示図である。
【図１３】図１３は、本発明の対話グルーピング情報の表示アイテム検索方法の一例を説明するための画面例示図である。
【図１４】図１４は、本発明の対話グルーピング情報の表示アイテム検索方法の他の例を説明するための画面例示図である。
【図１５】図１５は、本発明の対話グルーピング情報のアイコンタイプ表示アイテムの第２形態を説明するための画面例示図である。
【図１６】図１６は、本発明の対話グルーピング情報の高速閲覧画面タイプの表示アイテムの第２形態を説明するための画面例示図である。
【発明を実施するための形態】
【００１０】
以下、本発明による好ましい実施例を添付の図面を参照して詳しく説明する。下記の説明では、本発明の実施例による動作を理解するのに必要な部分だけが説明され、それ以外の部分の説明は、本発明の要旨を不明瞭にしないように省略されることを留意しなければならない。
【００１１】
以下で説明される本明細書及び請求範囲に使用された用語や単語は、通常的や辞書的な意味に限定して解釈すべきものではなく、発明者は、自分の発明を最も最善の方法で説明するために用語の概念として適切に定義することができるという原則に即して本発明の技術的思想に符合する意味と概念として解釈しなければならない。したがって、本明細書に記載された実施例と図面に示された構成は、本発明の最も好ましい実施例に過ぎないものであり、本発明の技術的思想をすべて代弁するものではないので、本出願時点においてこれらを代替することができる多様な均等物と変形例があり得ることを理解しなければならない。
【００１２】
以下、本発明の機能と関連した構成と構成の役目についてさらに詳しく説明する。ここで、本発明の特徴が前述した例示に限定されるものではない。すなわち本発明の特徴は、前述した例示だけでなく、以下で説明する各構成の形態変更や、追加的な機能まで含む形態として理解すべきものである。
【００１３】
図１は、本発明の実施例による対話機能運用を支援する端末機の構成を概略的に示すブロック図である。
【００１４】
図１を参照すれば、本発明の端末機１００は、通信部１１０、入力部１２０、オーディオ処理部１３０、表示部１４０、格納部１５０及び制御部１６０の構成を含むことができる。
【００１５】
このような構成を有する本発明の端末機１００は、メッセージベースの対話機能運用によって対話情報が収集されれば、既定の条件またはユーザ入力条件によって対話情報をグルーピングし、対話グルーピング情報を生成する。また、端末機１００は、生成された対話グルーピング情報を対話機能画面の一側に一定形態で配置することによって、対話グルーピング情報を容易に検索することができるように支援することができる。また、端末機１００は、特定対話グルーピング情報が選択される場合、当該対話グルーピング情報に含まれた対話情報の一部だけが一定領域に表示される高速閲覧画面及び画面全体に表示される全体閲覧画面を提供し、グルーピングされた対話情報の内容確認を嗜好によって迅速にまたは詳細に行うことができるように支援する。また、端末機１００は、選択された対話グルーピング情報をベースに新しい対話機能開始を支援することができる。端末機１００は、対話グルーピング情報に該当するアイテムを表示する過程で当該情報の重要度などを確認することができるようにし、また、対話グルーピング情報に含まれた内容をユーザがすぐ確認することができるように、一定の条件による情報表示を当該表示アイテムに追加することができるように支援する。このような本発明の端末機１００は、メッセージベースの対話機能運用において対話グルーピング情報の生成、生成された対話グルーピング情報の表示、生成された対話グルーピング情報の管理、対話グルーピング情報の検索などを含む対話機能運用に関する機能を支援する。
前記通信部１１０は、音声通話のための通信チャネル形成及び画像通話のための通信チャネル形成、映像やメッセージなどのデータ伝送のための通信チャネル形成などを制御部１６０の制御の下に行う。すなわち、通信部１１０は、音声通話チャネル、データ通信チャネル及び画像通話チャネルを移動通信システムの間に形成する。特に本発明の通信部１１０は、本発明の対話機能運用のためのメッセージサービスチャネル形成を支援することができる。ここで、メッセージサービスチャネルは、短文メッセージ、マルチメディアメッセージ、インスタントメッセージなど多様な形態のメッセージ送受信のためのサービスチャネルになることができる。このようなメッセージサービスチャネルは、本発明の対話機能運用のためのメッセージに他の端末機に伝送するチャネルと、他の端末機が伝送するメッセージを受信するチャネルを含むことができる。２つのチャネルは、異なる周波数チャネルを利用することができ、また、同一周波数チャネルが利用されることもできる。
【００１６】
前記通信部１１０は、対話機能運用中に対話情報送受信を支援し、また、ユーザ選択によって対話グルーピング情報を他の端末機に伝送するか、他の端末機から対話グルーピング情報を受信することができる。ここで、通信部１１０は、対話グルーピング情報を伝送するためにユーザが指示した少なくとも１つの他の端末機アドレス情報を利用することができる。このアドレス情報は、事前に登録されて管理されるか、新規要請及びユーザ承認によって登録されて管理されることができる。
【００１７】
前記入力部１２０は、数字または文字情報を入力され、各種機能を設定するための多数の入力キー及び機能キーを含む。このような機能キーは、特定機能を行うように設定された方向キー、サイドキー及びショートカットキーなどを含むことができる。また、入力部１２０は、ユーザ設定及び端末機１００の機能制御と関連したキー信号を生成し、前記制御部１６０に伝達する。特に入力部１２０は、端末機１００の対話機能運用に必要な多様な入力信号を生成することができる。例えば、入力部１２０は、メッセージベースの対話機能運用を支援する対話機能アプリケーションを選択及び活性化するための入力信号、対話機能運用中に対話情報作成のための入力信号、受信された対話情報を確認するための入力信号などを生成することができる。また、入力部１２０は、送受信された対話情報をグルーピングするための入力信号、生成された対話グルーピング情報の分割、対話グルーピング情報の統合、位置移動、整列のための入力信号をユーザ制御によって生成することができる。また、入力部１２０は、グルーピングされた少なくとも１つの対話グルーピング情報検索のための入力信号、特定対話グルーピング情報選択及び閲覧のための入力信号、特定対話グルーピング情報をベースに他の端末機ユーザと対話するために必要な入力信号、対話グルーピング情報を迅速にまたは全体画面で検索するための入力信号などを生成することができる。
【００１８】
前述した入力信号のうち少なくとも１つは、以後説明する表示部１４０のタッチパネル１４３で発生するタッチイベントになることもできる。これにより、本発明の入力手段は、キーボトン形態の入力部１２０だけでなく、タッチパネル１４３などをも含むことができる。前述した入力部１２０は、端末機１００の表示部１４０の形態がタッチスクリーンで構成された場合、表示部１４０上に出力される多数のキーを含むクォティキーマップ、ＤＶＯＲＡＫキーマップ、３＊４キーマップ、４＊３キーマップなどで具現されることができる。
【００１９】
オーディオ処理部１３０は、通話時に送受信されるオーディオデータ、メッセージに含まれたオーディオデータ、格納部１５０に格納されたオーディオデータなどを出力するためのスピーカーＳＰＫと、通話時にユーザの音声またはその他のオーディオ信号を収集するためのマイクＭＩＣを含む。このようなオーディオ処理部１３０は、対話機能運用中に対話情報受信をアラームするための効果音、対話情報選択による効果音などを出力し、ユーザ設定によって対話情報内容を音声に出力する機能をも支援することができる。このような機能は、ユーザ設定などによって省略されることができる。
前記表示部１４０は、表示パネル１４１とタッチパネル１４３を含む。このような表示部１４０は、表示パネル１４１の前面にタッチパネル１４３が配置される構造を有することができる。
【００２０】
前記表示パネル１４１は、端末機１００の各種メニューを含めてユーザが入力した情報またはユーザに提供する情報を表示する。すなわち表示パネル１４１は、端末機１００の利用による多様な画面、例えば、待機画面、メッセージ作成画面、通話画面などを提供することができる。このような表示パネル１４１は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成されることができる。また、表示パネル１４１は、タッチパネルの上部または下部に配置されることができる。
【００２１】
特に、本発明の表示パネル１４１は、対話機能運用による多様な画面を出力することができる。例えば、表示パネル１４１は、メッセージベースの対話機能運用中に対話情報作成のための画面、作成された対話情報を伝送する画面、対話情報受信画面、少なくとも１つの対話グルーピング情報が一定形態の表示アイテムに出力される画面、対話グルーピング情報の高速閲覧または全体閲覧画面、対話グルーピング情報に対応する表示アイテムが配置された画面などを提供することができる。また、表示パネル１４１は、生成された対話グルーピング情報の分割を支援する画面、対話グルーピング情報の統合を支援する画面、対話グルーピング情報の位置移動を支援する画面、対話グルーピング情報の整列画面などを出力することができる。
【００２２】
前記タッチパネル１４３は、前記表示パネル１４１の上下部のうち少なくとも１ヶ所に配置され、タッチ物体、例えば、ユーザ指の接触によってタッチイベントを生成し、生成されたタッチイベントを制御部１６０に伝達することができる。この際、タッチパネル１４３を構成するセンサーは、マトリックス形態に配列され、タッチパネル上で発生するタッチイベントに対して当該位置情報とタッチイベントの種類に対する情報が制御部１６０に伝達される。
【００２３】
特に前記タッチパネル１４３は、メッセージベースの対話機能運用中に多様な領域に対するタッチ有効領域処理を行い、これをベースに特定タッチイベント生成を支援することができる。例えば、タッチパネル１４３は、対話機能運用中に対話情報作成器に含まれた多数の文字に対してそれぞれ位置割当と有効領域割当を行い、ユーザタッチによる対話情報作成を支援する。また、タッチパネル１４３は、対話グルーピング情報の生成と管理及び検索に要求される多様なタッチイベントをユーザ制御によって生成し、これを制御部１６０に伝達することができる。タッチパネル１４３が生成する対話グルーピング情報運用のための多様なタッチイベントについて後述する画面例示図を参照してさらに詳細に説明する。
【００２４】
前記格納部１５０は、本発明の実施例による機能動作に必要な応用プログラムを含めて、ユーザ機能支援のための多様な応用プログラム、前記表示部１４０の運用のためのキーマップやメニューマップなどを格納することができる。ここで、キーマップ、メニューマップは、それぞれ多様な形態になることができる。特に格納部１５０は、本発明の対話機能運用のためのメッセージベースの対話機能アプリケーション１５１及び本発明の対話グルーピング情報運用のための対話情報ＤＢ１５３を含むことができる。
【００２５】
対話機能アプリケーション１５１は、本発明の対話グルーピング情報の生成と表示、管理及び検索を支援する機能である。このような対話機能アプリケーション１５１は、ユーザ選択によってまたは端末機１００の設定によって活性化されることができ、活性化された後、対話情報の作成または受信された対話情報の出力を支援する。また、対話機能アプリケーション１５１は、入力される信号、例えば、タッチイベントによって一定個数の対話情報を対話グルーピング情報として生成し、生成された対話グルーピング情報に対応する表示アイテムを表示部１４０に出力するように支援することができる。この際、表示アイテムは、現在画面に出力されずに、ユーザ要請によって例えば、スクロールイベントによって表示部１４０に出力されることができる。または、表示アイテムは、設定によって対話機能運用時に現在画面にデフォルトとして出力されることもできる。また、対話機能アプリケーション１５１は、生成された対話グルーピング情報の情報分割や対話グルーピング情報間の統合、対話グルーピング情報間の位置調整及び整列を入力される入力信号によって調整することができる。対話機能アプリケーション１５１は、対話グルーピング情報検索時に高速閲覧画面及び全体閲覧画面を出力するように支援する。
【００２６】
対話情報ＤＢ１５３は、対話機能アプリケーション１５１の運用によって発生する多様な対話情報及び対話グルーピング情報を格納する構成である。また、対話情報ＤＢ１５３は、対話グルーピング情報に該当する表示アイテム情報、対話グルーピング情報の情報分割や統合情報、検索情報などをさらに格納することができる。対話グルーピング情報の表示アイテム形態について後述する図面を参照してさらに詳細に説明する。
【００２７】
前記制御部１６０は、前記端末機１００の各構成に電源供給を制御し、初期化過程を行うように支援する。また、前記制御部１６０は、前記端末機１００の対話機能運用支援のための多様な信号フローを制御することができる。このために、前記制御部１６０は、図２に示されたような構成を含むことができる。
【００２８】
図２は、本発明の実施例による制御部１６０構成をさらに詳細に示す図である。
【００２９】
図２を参照すれば、本発明の制御部１６０は、タッチイベント収集部１６１、対話グルーピング情報運用部１６３、対話機能支援部１６５を含むことができる。
【００３０】
タッチイベント収集部１６１は、表示部１４０、特にタッチパネル１４３で発生するタッチイベントを収集する構成である。すなわちタッチイベント収集部１６１は、対話機能が活性化された状態でタッチパネル１４３で発生するタッチイベントを収集する。また、タッチイベント収集部１６１は、収集されたタッチイベントの種類とタッチイベントの位置情報を対話グルーピング情報運用部１６３に伝達することができる。この過程で、タッチイベント収集部１６１は、タッチパネル１４３を制御し、タッチ有効領域を設定するように制御することができる。すなわち対話グルーピング情報が生成される場合、当該対話グルーピング情報に対応する表示アイテムが表示パネル１４１に出力されることができるが、タッチイベント収集部１６１は、このような表示アイテムをユーザが選択することができるようにタッチ有効領域設定制御を支援することができる。
【００３１】
対話グルーピング情報運用部１６３は、対話グルーピング情報の生成、表示、管理、検索を支援する構成である。このような対話グルーピング情報運用部１６３は、対話機能支援部１６５の運用によって登録される対話情報を一定条件またはユーザ入力によってグルーピングし、対話グルーピング情報を生成するように支援することができる。この際、対話グルーピング情報運用部１６３は、生成された対話グルーピング情報に該当する表示アイテムを生成するように支援し、生成された表示アイテムをユーザ制御によって表示パネル１４１に出力するように支援することができる。ここで、表示アイテムは、対話グルーピング情報に含まれた対話情報のうち一定領域に一部の内容が表示される高速閲覧画面タイプの表示アイテムと、対話情報に含まれた情報の分析と抽出またはユーザ入力による情報が記入されるアイコンタイプの表示アイテムを含むことができる。
【００３２】
また、対話グルーピング情報運用部１６３は、生成された対話グルーピング情報の分割、対話グルーピング情報の統合、表示パネル１４１に出力される表示アイテムの位置調整、表示アイテムの整列などをユーザ入力によって制御することができる。また、対話グルーピング情報運用部１６３は、特定対話グルーピング情報に該当する表示アイテムが選択されれば、選択された表示アイテムに該当する対話グルーピング情報の高速閲覧画面または全体閲覧画面を表示パネル１４１に出力するように支援することができる。対話グルーピング情報運用部１６３による対話グルーピング情報の運用については、後述する画面例示図を参照してさらに詳細に説明する。
【００３３】
対話機能支援部１６５は、メッセージベースの対話機能活性化のための入力信号が発生すれば、格納部１５０に格納された対話機能アプリケーション１５１を呼出して活性化するように支援し、格納部１５０に格納された対話情報ＤＢ１５３に登録された多様な情報を選択される項目によって呼出し、表示部１４０に出力するように支援する。例えば、対話機能支援部１６５は、対話機能活性化が選択されれば、対話情報作成器を表示部１４０に出力されるように支援することができる。また、対話機能支援部１６５は、作成された対話情報を指定された対話相手に該当する他の端末機に伝送するように制御することができる。または対話機能支援部１６５は、対話相手が選択されれば、対話相手との最後の対話情報を表示部１４０に出力するように支援することができる。ここで、最後の対話情報が対話グルーピング情報にグルーピングされた場合、対話機能支援部１６５は、対話グルーピング情報に該当する表示アイテムを表示部１４０に出力するように支援することができる。
【００３４】
また、対話機能支援部１６５は、他の端末機が伝送する対話情報を表示パネル１４１に出力するように支援すると共に、受信された対話情報を対話情報ＤＢ１５３に格納するように制御することができる。このような対話機能支援部１６５は、メッセージベースの対話機能と関連した情報の送受信を支援する構成であり、送受信された対話情報に対する対話グルーピング情報生成と表示、検索及び管理を行うことができるように対話グルーピング情報運用部１６３を支援することができる。
【００３５】
一方、対話機能支援部１６５は、対話グルーピング情報運用部１６３から事前に格納された対話グルーピング情報をベースに対話機能を行うことを指示されることができる。それでは、対話機能支援部１６５は、選択された対話グルーピング情報を指定された対話相手に該当する他の端末機に伝送し、対話グルーピング情報共有を行い、送受信される対話情報を対話グルーピング情報に引き続いて登録表示するように制御することができる。この過程で、対話機能支援部１６５は、指定された対話グルーピング情報が対話相手に該当する少なくとも１つの他のユーザの端末機に存在するか否かを確認し、存在しない場合にのみ、他のユーザの端末機に伝送することができる。例えば、対話機能支援部１６５は、指定された対話グルーピング情報に登録されている他のユーザの識別情報、例えばアドレス情報と現在対話する他のユーザのアドレス情報が一致するかを確認することができる。また、対話機能支援部１６５は、ユーザのアドレス情報が一致する場合、現在対話する他のユーザの端末機が指定された対話グルーピング情報を有しているかを把握する。例えば、対話グルーピング情報のユニークＩＤを他のユーザの端末機が有していれば、指定された対話グルーピング情報を既に有しているものと決定し、当該対話グルーピング情報伝送を行わなくてもよい。また、対話機能支援部１６５は、指定された対話グルーピング情報に登録された他のユーザの端末機情報と現在対話する他のユーザの端末機情報が一致しない場合、または、ユーザ情報は一致するが、対話グルーピング情報のユニークＩＤを有していない場合、すなわち現在対話する他のユーザの端末機のうち少なくとも１つの端末機がメッセージベースの対話グループに新しく登録された他の端末機である場合、指定された対話グルーピング情報を新しい他の端末機に伝送するように支援することができる。また、対話機能支援部１６５は、対話グルーピング情報要請に他の端末機から受信すれば、当該対話グルーピング情報を他の端末機に伝送するように制御することができる。このために、対話機能支援部１６５は、対話グルーピング情報を生成する過程で、各対話グルーピング情報区分のための固有情報であるユニークＩＤを割当することができ、このユニークＩＤは、対話に参加したユーザの間に共有されることができる。
【００３６】
前述したように、本発明の実施例によるメッセージベースの対話機能運用を支援する端末機１００は、対話機能運用過程で発生する多くの情報を一定条件によってグループ化し、さらに容易に検索、管理、表示することができるように支援することができる。また、本発明の端末機１００は、生成された対話グルーピング情報をベースに対話機能を引き続いて行うことができるように支援することもできる。
【００３７】
図３は、本発明の実施例による対話機能運用方法のうち対話情報グルーピングと対話グルーピング情報ベースの対話機能運用を説明するための流れ図である。
【００３８】
図３を参照すれば、本発明の対話機能運用方法は、まず、３０１段階で、電源部から供給される電源を利用して端末機１００の各構成の機能を準備状態に設定することができる。このために、制御部１６０は、電源部が供給する電源を利用して端末機１００の各構成を駆動させるための電源を生成し、これを分配することができる。
【００３９】
また、制御部１６０は、３０３段階で、対話機能実行のための入力信号が発生するか否かを確認することができる。この段階で、制御部１６０は、発生した入力信号が対話機能実行のための入力信号でない場合、３０５段階に分岐し、入力信号によるユーザ機能を行うように支援することができる。例えば、制御部１６０は、３０５段階で、入力信号に該当する通話機能、放送受信機能、ファイル再生機能、ファイル検索機能、オーディオ聞き取り機能、ゲーム機能など特定機能実行に必要な信号制御を行うことができる。
【００４０】
一方、３０３段階で、対話機能実行のための入力信号、例えば、対話機能アプリケーション１５１の活性化のための入力信号または対話機能による対話情報受信による入力信号が受信されれば、制御部１６０は、３０７段階に分岐し、当該対話情報に対応する以前対話記録が存在するか否かを確認することができる。例えば、制御部１６０は、対話情報が受信されれば、対話情報から他のユーザ情報、対話ユニークＩＤ及び他の端末機のアドレス情報を抽出し、他のユーザ情報、対話ユニークＩＤ及び当該アドレス情報に該当する対話相手との以前対話記録が存在するか否かを確認することができる。このために、端末機１００は、対話機能運用時に送受信される対話情報をデフォルトとして格納するように支援し、対話情報格納時に他のユーザ情報、対話ユニークＩＤ及び他の端末機のアドレス情報を索引として格納することができる。または、制御部１６０は、対話機能が活性化された後、ユーザが特定の他のユーザ情報、対話ユニークＩＤ及び他の端末機アドレス情報を選択すれば、当該他のユーザ情報、対話ユニークＩＤ及び他の端末機アドレス情報と関連した以前対話記録が存在するか否かを確認することができる。
【００４１】
この際、以前対話記録が存在する場合、制御部１６０は、３０９段階に分岐し、以前対話情報または対話グルーピング情報共有可否を確認することができる。また、以前対話情報または対話グルーピング情報共有が要求される場合、制御部１６０は、３１１段階に分岐し、以前対話情報または対話グルーピング情報を共有するための過程を行うことができる。すなわち前述したように、制御部１６０は、現在対話する他の端末機に以前対話情報または対話グルーピング情報がない場合、当該情報を他の端末機に伝送することができる。
【００４２】
３０９段階で、以前対話共有が不要な場合、すなわち以前対話を既に共有した状態であるか、別途の要請がない場合、制御部１６０は、３１３段階に分岐し、以前チャットウィンドウに引き続いて対話機能を支援するように制御することができる。すなわち制御部１６０は、送受信される対話情報を以前対話情報が出力された画面に引き続いて出力するように支援することができる。
【００４３】
一方、３０７段階で、以前対話記録がない場合、すなわち新しい他の端末機と対話機能を行うか、対話相手として事前に登録された他の端末機と新しいチャットウィンドウをベースに対話機能を行う場合には、３１５段階に分岐し、最新チャットウィンドウ生成及びこれをベースとする対話機能支援を行うことができる。すなわち制御部１６０は、通信部１１０を通じて送受信される対話情報を表示パネル１４１に出力する一方、格納部１５０に格納するように制御し、作成された対話情報を対話相手に該当する他の端末機に伝送するように制御することができる。
【００４４】
次に、制御部１６０は、対話情報送受信が実行される中であるか、実行後に別途の対話情報送受信がない一定時間が経過する場合または対話機能終了などが発生する過程など多様な対話グルーピング条件満足が発生するか否かを３１７段階で確認することができる。ここで、対話グルーピング条件は、多様なイベントによるものであることができ、端末機１００に設定された自動条件とユーザ制御による手動条件を含む。
【００４５】
端末機１００に設定された自動条件は、対話情報送受信が既定の一定時間の間に送受信される対話がない場合、日付が変わって日付別に、対話機能終了のための入力信号が発生する場合、既定の対話時間間隔または対話内容分量に該当する場合、対話日付を基準にする場合、一般的に別れる時や対話終了を指示する対話機能終了を指示する使用する文句が一定の回数以上対話に現われる場合などを単一または重複で含むことができる。ここで、自動条件の一定時間や時間間隔または分量、日付や文句選択などは、ユーザ制御によって調整されることもできる。手動条件は、ユーザによる対話情報のグルーピング要請に該当する入力信号及び特定対話情報のみを別に選択し、対話グルーピング情報を生成するように要請する入力信号発生を含むことができる。
【００４６】
３１７段階で、対話グルーピング条件が満足されれば、制御部１６０は、３１９段階に分岐し、対話グルーピング及び表示設定を行うことができる。これと共に、制御部１６０は、新たに生成された対話グルーピング情報を対話情報ＤＢ１５３に格納するように制御することができる。ここで、制御部１６０は、新たに生成された対話グルーピング情報に該当する表示アイテムを生成し、これを表示パネル１４１に出力するように支援することもできる。
【００４７】
その後、制御部１６０は、３２１段階に分岐し、端末機１００の終了のための入力信号発生有無を確認し、別の終了入力信号の発生がない場合、３１５段階以前にまたは３１３段階に分岐し、以下過程を再実行するように支援することができる。
【００４８】
前述したように、本発明の対話機能運用方法は、対話機能運用中に収集される対話情報をベースに対話グルーピング情報生成を支援することができ、この際、以前格納された対話情報または対話グルーピング情報が存在すれば、当該情報をベースに対話が引き続いて進行されることができるように支援することができる。
【００４９】
図４は、本発明の実施例による対話機能運用に関する概略的な画面例示図を示す図である。
【００５０】
図４を参照すれば、端末機１００は、本発明のメッセージベースの対話機能アプリケーション１５１を活性化するための入力信号が発生すれば、４０１画面のような対話機能履歴画面を出力することができる。これをさらに詳細に説明すれば、端末機１００は、対話機能アプリケーション１５１の選択のための入力信号が発生するか、対話機能支援の対話情報受信が発生すれば、対話機能アプリケーション１５１を活性化するように制御することができる。この過程で、端末機１００は、ユーザが選択した対話相手の他の端末機のアドレス情報または受信された対話情報に含まれた他の端末機のアドレス情報をベースに以前対話履歴が存在するか否かを確認することができる。また、端末機１００は、以前対話履歴が存在する場合、４０１画面のように対話履歴が含まれたチャットウィンドウを表示部１４０に出力するように支援することができる。ここで、実質的に上側に配置された対話グルーピング情報に該当する表示アイテム、特に高速閲覧画面タイプの表示アイテム４１は、表示部１４０にデフォルトとして出力されず、ユーザ設定や選択など、例えば、スクロールイベント生成などによって表示部１４０に出力されることができる。４０１画面に表示された高速閲覧画面タイプの表示アイテム４１は、対話グルーピング情報に含まれた対話情報のうち一定分量の対話情報が既定の一定領域内に出力される形態で構成されることができる。
【００５１】
一方、本発明の対話グルーピング情報は、４０３画面のように、内部に含まれた対話情報を表示しないアイコンタイプの表示アイテム４２に出力されることもできる。アイコンタイプの表示アイテム４２は、当該情報が生成された日付情報や、生成時点に記入された特定情報または選択された対話情報、タッグ情報などがアイコン領域に出力されることができる。
【００５２】
４０３画面及び４０１画面は、それぞれ一定の入力信号発生によって相互転換されることができる。すなわち４０１画面が出力された状態で、ユーザが特定イベントを生成すれば、制御部１６０は、高速閲覧画面タイプの表示アイテム４１の出力画面を４０３画面状態のアイコンタイプの表示アイテム４２の出力画面に転換されるように制御することができる。また、４０３画面が出力された状態で、ユーザが特定イベントを生成すれば、制御部１６０は、アイコンタイプの表示アイテム４２で構成された画面を４０１画面状態の高速閲覧画面タイプの表示アイテム４１で構成された画面に出力するように制御することができる。先立って言及したが、前述した表示アイテム４０は、画面にデフォルトとして出力されず、一定の隠れた領域に配置されてから、スクロールイベントのようなイベントが発生する場合、表示部１４０に出力されることができる。しかし、対話グルーピング情報に該当する表示アイテム４０のうち特定対話グルーピング情報、例えば、最新対話グルーピング情報に該当する表示アイテム４０は、グルーピングされていない対話情報とともに出力されることができる。ここで、対話グルーピング情報に該当する表示アイテム４０の下方に配置された対話情報５０は、対話グルーピングが実行されない情報になることができる。すなわち端末機１００の対話グルーピング設定が自動条件ではなく、ユーザ要請による手動条件の場合、または自動条件に適しない対話情報が存在する場合、ユーザ要請による場合などによって、特定対話情報は、グルーピングされないこともある。したがって、対話グルーピング情報の表示アイテム４０が時間的に整列される場合、対話情報５０の間に配置されることもできる。
【００５３】
図５は、本発明の実施例による対話機能運用中に対話グルーピング情報検索及び選択された対話グルーピング情報ベースの対話機能運用を説明するための図である。
【００５４】
図５を参照すれば、端末機１００の制御部１６０は、対話機能運用のための入力信号が発生すれば、５０１画面のように、対話機能アプリケーション１５１を活性化し、対話機能アプリケーション１５１の活性化による画面を出力することができる。この際、制御部１６０は、対話機能運用のために選択された他のユーザ情報、対話ユニークＩＤ及び他の端末機アドレス情報などをベースに以前対話情報履歴があるか否かを確認し、以前対話情報履歴がある場合、５０１画面のように、以前対話情報５０を画面に出力するように支援することができる。または、制御部１６０は、対話情報履歴がない場合、最新チャットウィンドウを出力し、送受信される対話情報５０を５０１画面のように出力するように支援することができる。
【００５５】
一方、ユーザは、現在活性化中の他のユーザ情報と関連した対話グルーピング情報検索のためにスクロールイベントを生成することができる。それでは、制御部１６０は、５０３画面のように、当該スクロールイベントによって上側に隠れた領域に配置された対話グルーピング情報に該当するアイコンタイプの表示アイテム４２が表示部１４０上に出力されるように支援することができる。ここで、対話グルーピング情報検索のためのイベントは、スクロールイベントだけでなく、既定の多様なジェスチャーイベントのうちいずれか１つになることができる。例えば、５０１画面でユーザが特定領域をロングプレス（Ｌｏｎｇ  Ｐｒｅｓｓ）する場合、アイコンタイプの表示アイテム４２が隠れた領域から現在画面に移動しながら５０３画面が出力されることもできる。制御部１６０は、対話グルーピング情報に該当するアイコンタイプの表示アイテム４２を出力する過程で追加的な対話グルーピング情報がない場合、すなわち現在画面に表示された対話グルーピング情報の表示アイテム４１、４２が当該他の端末機のアドレス情報と連携された対話グルーピング情報全体の場合、スクロールイベントが発生しても、画面が変化しないように制御することができる。ここで、制御部１６０は、“追加対話グルーピング情報なし”に該当するメッセージ案内を行うこともできる。
【００５６】
５０３画面のように、少なくとも１つの対話グルーピング情報に該当するアイコンタイプの表示アイテム４２が出力された状態で、ユーザは、特定アイコンタイプの表示アイテムを選択し、対話グルーピング情報に対する情報確認を要請することができる。このために、ユーザは、５０５画面のように、特定アイコンタイプの表示アイテム４２の選択のための入力信号生成を行うことができる。それでは、制御部１６０は、選択された特定対話グルーピング情報の高速閲覧画面タイプの表示アイテム４１を５０７画面のように出力することができる。対話グルーピング情報の高速閲覧画面タイプの表示アイテム４１は、当該対話グルーピング情報に含まれた対話情報のうち一部の情報だけを定められた一定領域に出力した画面になることができる。ユーザは、高速閲覧画面タイプの表示アイテム４１を通じて選択した対話グルーピング情報に含まれた内容をさらに詳細に確認することができる。
【００５７】
一方、高速閲覧画面タイプの表示アイテム４１をベースに対話機能を行うためのイベントが発生すれば、制御部１６０は、５０９画面のように、当該対話グルーピング情報の対話情報が表示部１４０の全体に出力される全体閲覧画面をベースにまたは高速閲覧画面タイプの表示アイテム４１に現在表示された対話情報のみを表示した画面をベースに新しいチャットウィンドウ開きを行うことができる。すなわち制御部１６０は、５０７画面の高速閲覧画面タイプの表示アイテム４１に該当する対話グルーピング情報領域に含まれた対話情報の一部だけを表示するか、表示部１４０の全体サイズに相当するように、さらに多い内容が表示された画面をベースに新しいチャットウィンドウ開きを行うように制御することができる。
【００５８】
制御部１６０は、５１１段階のように、ユーザ要請に従って対話情報作成器６０を表示部１４０の一側に出力するように支援することができる。また、制御部１６０は、５１３段階のように、対話情報作成器６０が作成した対話情報及び他の端末機が伝送した対話情報を以前対話グルーピング情報に含まれた対話情報に引き続いて出力することによって、以前対話グルーピング情報をベースに対話機能が実行されることができるように支援する。
【００５９】
一方、制御部１６０は、他の端末機から以前対話グルーピング情報をベースに対話機能実行のための対話情報を受信すれば、当該対話情報を以前対話グルーピング情報に含まれた対話情報に引き続いて出力されるように支援することができる。これをさらに詳細に説明すれば、制御部１６０は、他の端末機から特定対話グルーピング情報を選択した情報を受信すると共に、当該対話グルーピング情報に引き続いて対話することを要請されることができる。それでは、制御部１６０は、当該対話グルーピング情報に該当する対話グルーピング情報が格納されているか否かを確認する。この際、当該対話グルーピング情報があれば、制御部１６０は、他の端末機の要請によって当該対話グルーピング情報に含まれた対話情報を表示部１４０に出力し、新たに送受信される対話情報を前記対話グルーピング情報に含まれた対話情報に引き続いて出力されるように制御することができる。
【００６０】
ここで、制御部１６０は、他の端末機が引き続いて対話することを要請した対話グルーピング情報がない場合、ユーザ制御によってまたは自動で当該対話グルーピング情報要請を他の端末機に伝送することができる。また、制御部１６０は、他の端末機が対話グルーピング情報を伝送する場合、これを格納し、受信された対話グルーピング情報出力及び送受信された対話情報との連携を支援することができる。
【００６１】
対話機能において対話グルーピング情報を生成する条件は、前述したように、ユーザの要請に従って実行される場合、多様な形態で生成されることができる。但し、自動条件、例えば、日付や時間条件の場合には、同一の対話グルーピング情報生成が可能である。したがって、対話グルーピング情報をベースに連続した追加対話機能を行うために、対話グルーピング情報の共有確認が必要なことがある。ここで、ユーザは、対話グルーピング情報が必要ない場合、端末機１００を制御し、対話グルーピング情報要請を実行しないように制御することができる。
【００６２】
図６は、本発明の実施例による対話機能運用中に対話グルーピング情報の分割を説明するための図である。
【００６３】
図６を参照すれば、端末機１００の制御部１６０は、ユーザの要請によって対話グルーピング情報に該当するアイコンタイプの表示アイテム４２が少なくとも１つを含む画面が表示部１４０に出力されるように支援することができる。また、ユーザが特定アイコンタイプの表示アイテム４２を選択し、高速閲覧画面タイプの検索要請を行う場合、制御部１６０は、６０１画面のように選択された対話グルーピング情報の対話情報のうち少なくとも一部が表示される高速閲覧画面タイプの表示アイテム４１が出力されるように制御することができる。ここで、制御部１６０は、高速閲覧要請発生時には、当該対話グルーピング情報に含まれる対話情報のうち一部の内容だけが定められた一定領域に表示されるように支援することができる。また、制御部１６０は、対話グルーピング情報の高速閲覧画面タイプの表示アイテム４１を構成する時、一側にスクロール機能を提供し、残りの内容を検索するように支援することもできる。一方、前述した説明において高速閲覧画面タイプの表示アイテム４１の一定領域が定められたものと説明したが、本発明がこれに限定されるものではない。すなわち前記制御部１６０は、高速閲覧画面タイプの表示アイテム４１で構成された画面出力時、当該対話グルーピング情報に含まれた対話情報の分量によって表示アイテム４１の情報出力領域を増やすか、出力される内容のサイズを減らすなどの過程を通じて対話グルーピング情報に含まれた対話情報が相対的にさらに多く表示されるように制御することができる。制御部１６０は、含まれた対話情報が現在表示アイテム４１の一定領域サイズを超える場合、スクロール機能を提供し、同一対話グルーピング情報に含まれたが、表示されない対話情報を検索するように支援することができる。
【００６４】
一方、ユーザは、特定対話グルーピング情報に含まれた対話情報を分割するように要請することができる。例えば、ユーザは、６０１画面のように、高速閲覧画面タイプの表示アイテム４１に含まれた一定領域の一側に第１タッチイベントを発生し、第１タッチイベントが維持された状態で第２ジェスチャーイベントを当該一定領域内で生成させることによって、対話グルーピング情報に含まれた対話情報の領域分割を要請することができる。制御部１６０は、第１タッチイベント及び第２タッチイベントが発生すれば、当該タッチイベントによって分割された領域を基準に対話グルーピング情報を分割することができる。例えば、６０３画面のように、第２タッチイベントが対話グルーピング情報が出力された一定領域を横切るドラッグイベントの場合、制御部１６０は、当該ドラッグイベントを基準に分割する領域を区分することができる。また、制御部１６０は、６０５画面のように区分された領域を基準に２つの対話グルーピング情報に該当する高速閲覧画面タイプの表示アイテム４１を生成することができる。ここで、制御部１６０は、高速閲覧画面タイプの表示アイテム４１出力領域の端部領域で第１タッチイベントと第２タッチイベントの同時タッチに対するイベントが発生すれば、対話グルーピング情報分割機能呼出のための予備動作として認識することができる。これにより、制御部１６０は、追って発生する第２タッチイベントのドラッグイベントを基準に対話グルーピング情報の領域区分を認識することができる。制御部１６０は、領域が分割されれば、２つの高速閲覧画面タイプの表示アイテム４１を生成し、生成されたアイテムを分割された対話グルーピング情報にマッピングするように制御することができる。
【００６５】
一方、前述した説明では、マルチタッチ以後、ドラッグイベント発生によって対話グルーピング情報の分割機能実行を説明したが、本発明がこれに限定されるものではない。すなわち制御部１６０は、特定ジェスチャーイベント、例えば、対話グルーピング情報に含まれた対話情報のうち少なくとも１つを選択し、選択された対話情報をバインディングさせるタッチイベントや入力信号が発生する場合、選択された対話情報と選択されない対話情報を互いに区分し、２つの対話グルーピング情報を生成することができるように支援することができる。このような機能を通じて、ユーザは、特定対話グルーピング情報から自分が残留させようとする対話情報のみを別に集めて、１つの対話グルーピング情報を生成することもでき、情報を別に分類することを希望する対話情報のみを含む対話グルーピング情報を生成することもできる。
【００６６】
６０５画面で、制御部１６０は、対話グルーピング情報に該当する高速閲覧画面タイプの表示アイテム４１の削除などを支援することができる。すなわち制御部１６０は、ユーザが特定表示アイテム４０を選択し、選択された表示アイテム４０を削除するためのイベントを生成すれば、当該表示アイテム４０の除去だけでなく、当該表示アイテム４０に該当する対話グルーピング情報を除去することができる。
【００６７】
図７は、本発明の実施例による対話機能運用中に対話グルーピング情報の統合機能を説明するための図である。
【００６８】
図７を参照すれば、制御部１６０は、ユーザ選択によって多数の対話グルーピング情報に該当する表示アイテム４０が含まれた画面を表示部１４０に出力するように支援することができる。例えば、ユーザが対話機能活性化を要請し、選択された項目、すなわち当該対話相手項目に対話グルーピング情報が多数個含まれた場合、制御部１６０は、７０１画面のように、多数の対話グルーピング情報に該当する表示アイテム４０が含まれた画面を出力することができる。ここで、表示アイテム４０は、高速閲覧画面タイプの表示アイテム４１及びアイコンタイプの表示アイテム４２のうち少なくとも１つになることができる。すなわちユーザ設定によって、７０１画面のように、制御部１６０は、高速閲覧画面タイプの表示アイテム４１のみが出力されるように制御することができ、または高速閲覧画面タイプの表示アイテム４１とアイコンタイプの表示アイテム４２が混合して表示されることもできる。
【００６９】
この際、ユーザは、対話グルーピング情報のうち統合しようとする特定対話グルーピング情報に該当する表示アイテム４１を選択することができる。例えば、ユーザは、特定対話グルーピング情報に該当する表示アイテム４１が出力された表示部１４０上でロングプレス動作によるタッチイベント生成を制御することができる。それでは、制御部１６０は、当該対話グルーピング情報を他の対話グルーピング情報と統合するための機能選択であることを認識することができる。ここで、制御部１６０は、対話グルーピング情報選択を確認することができるように選択された対話グルーピング情報をハイライトするか、レイヤ区分が可能となるように表示するなどの効果を提供することができる。
【００７０】
その後、ユーザは、７０３画面のように、選択した対話グルーピング情報に統合する他の対話グルーピング情報に該当する表示アイテムを選択する入力信号を生成することができる。この過程で、ユーザは、７０１画面で選択した対話グルーピング情報に対するタッチイベントを維持するように制御することができる。７０３画面で、２つの対話グルーピング情報選択が発生するか、２つの対話グルーピング情報に該当する表示アイテムを重ねるタッチイベントが生成されれば、制御部１６０は、２つの対話グルーピング情報を統合することができる。この際、制御部１６０は、２つの対話グルーピング情報に含まれた対話情報を引き続いて登録させて１つの対話グルーピング情報を構成することができる。これにより、端末機１００は、７０５画面のように、統合された対話情報が表示される１つの対話グルーピング情報に該当する高速閲覧画面タイプの表示アイテム４１を表示部１４０に出力するように提供することができる。
【００７１】
一方、ユーザは、追加的な対話グルーピング情報統合のための端末機１００の制御を行うことができる。例えば、ユーザは、７０１画面で統合するために選択した対話グルーピング情報の表示アイテム４１に対して持続的なロングプレス動作を維持しながら統合する他の対話グループ情報を続いて選択する動作を行うことができる。それでは、制御部１６０は、最初選択された対話グルーピング情報に追って選択される対話グルーピング情報を継続的に統合し、１つの対話グルーピング情報を生成することができる。この際、制御部１６０は、追加に選択された対話グルーピング情報に含まれた対話情報を最初選択された対話グルーピング情報の対話情報に引き続いて登録させるように制御することができる。
【００７２】
ここで、制御部１６０は、統合された対話グルーピング情報に該当する表示アイテム４１が出力される領域を一定領域に限定して他の対話グルーピング情報に該当する表示アイテム４０が表示部１４０に表示されるように支援することができる。すなわち別途のスクロール動作なしに他の対話グルーピング情報に該当する表示アイテム４０の選択のために対話グルーピング情報が統合されても、統合された対話グルーピング情報の表示アイテム領域のサイズを限定することができる。この際、制御部１６０は、表示アイテムの一定領域に出力される対話情報の内容をさらに多く表示するために統合された対話グルーピング情報に含まれた対話情報を示す文字やイメージをリサイジングし、当該領域に出力するように支援することもできる。
【００７３】
対話グルーピング情報統合時に選択される表示アイテムは、高速閲覧画面タイプの表示アイテム４１やアイコンタイプの表示アイテム４２をすべて含むことができる。すなわちユーザが統合のために最初選択する表示アイテムは、高速閲覧画面タイプの表示アイテム４１であるか、アイコンタイプの表示アイテム４２のうちいずれか１つになることができる。
【００７４】
前記制御部１６０は、高速閲覧画面タイプの表示アイテム４１とアイコンタイプの表示アイテム４２が統合されるように入力信号が発生すれば、各表示アイテムに該当する対話グルーピング情報を統合した後、アイコンタイプの表示アイテム４２の対話情報を高速閲覧画面タイプの表示アイテム４１の一定領域に一定部分表示されるように制御することができる。または、制御部１６０は、対話グルーピング情報の統合後に新しいアイコンタイプの表示アイテム４２を生成し、これを表示部１４０に出力するように支援することができる。
【００７５】
また、制御部１６０は、アイコンタイプの表示アイテム４２の間に統合を指示する入力信号が発生すれば、対話グルーピング情報の統合後、新しいアイコンタイプの表示アイテム４２を生成して出力するか、２つのうちいずれか１つのアイコンタイプの表示アイテム４２のみを残留させることができる。また、制御部１６０は、アイコンタイプの表示アイテム４２の間の統合完了後、表示部１４０に高速閲覧画面タイプの表示アイテム４１が出力されるように支援することができる。すなわち制御部１６０は、アイコンタイプの表示アイテム４２の間の統合時、対話グルーピング情報統合後、表示部１４０上でアイコンタイプの表示アイテム４２を除去し、統合された対話グルーピング情報に対応する高速閲覧画面タイプの表示アイテム４１を出力するように支援することができる。
【００７６】
図８は、本発明の実施例による対話グルーピング情報の位置移動を説明するための図である。
【００７７】
図８を参照すれば、制御部１６０は、ユーザの選択によって少なくとも１つの対話グルーピング情報に該当するアイコンタイプの表示アイテム４２が表示された画面を８０１画面のように出力することができる。このために、制御部１６０は、対話情報が記載された画面を表示部１４０に出力し、ユーザの要請によって少なくとも１つの対話グルーピング情報に該当するアイコンタイプの表示アイテム４２を表示部１４０に出力することができる。この際、制御部１６０は、アイコンタイプの表示アイテム４２が占める領域のサイズによって残りの空間に表示部１４０に対話情報５０も一緒に出力するように制御することができる。すなわち制御部１６０は、対話グルーピング情報に該当するアイコンタイプの表示アイテム４２を別途のページに割り当てることなく、直前対話情報５０または以前特定時点の対話情報５０の間に配置させることができる。ユーザは、位置移動が必要な対話グルーピング情報を選択するための入力信号、例えば、選択しようとする対話グルーピング情報に該当するアイコンタイプの表示アイテム４２が出力された表示部１４０上でロングプレスに該当する特定タッチイベントを生成することができる。
【００７８】
制御部１６０は、特定アイコンタイプの表示アイテム４２を移動させるための特定ジェスチャーイベントが生成されれば、移動させるアイコンタイプの表示アイテム４２が選択されたことを指示する効果を提供することができる。例えば、制御部１６０は、アイコンタイプの表示アイテム４２のわくをハイライトするか、当該アイコンタイプの表示アイテム４２を他のアイコンタイプの表示アイテムとレイヤ区分が可能となるように表示することができる。
【００７９】
ユーザは、選択したアイコンタイプの表示アイテム４２を移動させる位置にドラッグして配置させる。また、ユーザは、当該アイコンタイプの表示アイテム４２に提供したタッチ動作を解除することができる。それでは、制御部１６０は、選択されたアイコンタイプの表示アイテム４２が移動するうちに他のアイコンタイプの表示アイテムと位置変更を支援し、タッチが解除された場合、当該アイコンタイプの表示アイテム４２をタッチ解除された位置に固定させるように制御することができる。このような対話グルーピング情報に該当するアイコンタイプの表示アイテム４２の位置移動は、アイコンタイプの表示アイテム４２の間の位置移動だけでなく、対話情報５０との関係でも実行されることができる。例えば、アイコンタイプの表示アイテム４２に対するドラッグイベントが発生し、特定対話情報５０が位置する領域の下にドラッグされれば、制御部１６０は、アイコンタイプの表示アイテム４２を特定対話情報５０が位置する領域の下方に配置するように制御することができる。また、制御部１６０は、当該位置にあった対話情報５０をアイコンタイプの表示アイテム４２に隣接する領域または既定の領域に配置させるように制御することができる。
【００８０】
図９は、本発明の実施例による対話グルーピング情報の整列機能を説明するための画面である。
【００８１】
図９を参照すれば、制御部１６０は、ユーザの選択によって少なくとも１つのアイコンタイプの表示アイテム４２が表示された画面を９０１画面のように出力することができる。このために、制御部１６０は、対話情報が記載された画面を表示部１４０に出力し、ユーザ要請によって少なくとも１つのアイコンタイプの表示アイテム４２を表示部１４０に出力することができる。また、制御部１６０は、各アイコンタイプの表示アイテム４２の重要度チェックのための機能を支援することができる。このために、制御部１６０は、重要度チェックのためのメニュー項目を提供することができ、ユーザが当該項目を選択する場合、重要度チェックのための画面インターフェースを９０１画面のように出力するように支援することができる。例えば、制御部１６０は、重要度チェックのために各対話グルーピング情報に該当するアイコンタイプの表示アイテム４２が表示された領域上に別表のようなチェック項目を出力するように支援することができる。ユーザは、９０１画面で、特定アイコンタイプの表示アイテム４２に含まれた重要度チェック項目を選択することによって、当該対話グルーピング情報の重要度を設定することができる。
【００８２】
一方、制御部１６０は、特定アイコンタイプの表示アイテム４２の重要度がチェックされれば、アイコンタイプの表示アイテム４２に該当する対話グルーピング情報の優先順位をチェックされた重要度によって異なるように設定し、これを格納部１５０に格納された対話情報ＤＢ１５３に更新するように制御することができる。これと共に、制御部１６０は、重要度高く設定された対話グルーピング情報に該当するアイコンタイプの表示アイテム４２は、ユーザが容易に検索することができる位置、例えば、対話情報が出力された領域と隣接する領域に配置するように制御することができる。それでは、ユーザは、対話情報５０が出力された画面でスクロールイベントを発生させて、重要度が高い対話グルーピング情報に該当するアイコンタイプの表示アイテム４２から検索することができる。
【００８３】
一方、制御部１６０は、対話グルーピング情報に該当するアイコンタイプの表示アイテム４２の整列過程で新しく生成されたアイコンタイプの表示アイテム４２の優先順位を高く設定し、当該アイコンタイプの表示アイテム４２を対話情報５０が出力される領域に隣接する領域に優先的に出力するように支援することができる。この際、新しく生成されるアイコンタイプの表示アイテム４２であるとしても、重要度チェックが設定された対話グルーピング情報に該当するアイコンタイプの表示アイテム４２よりは、対話情報５０が表示された領域を基準にさらに遠い位置に配置されることもできる。
【００８４】
一方、図８及び図９で説明した表示アイテムの位置移動と整列に対してアイコンタイプの表示アイテム４２を基準に説明したが、本発明の位置移動と整列は、高速閲覧画面タイプの表示アイテム４１にも同一に適用されることができる。すなわち高速閲覧画面タイプの表示アイテム４１の選択後、ドラッグを通じて表示部１４０上で他の位置に移動させるか、重要度選択を通じて整列を行うことができる。重要度選択のための高速閲覧画面タイプの表示アイテム４１の一定領域に重要度選択のための項目が追加されることができる。
【００８５】
図１０は、本発明の実施例による対話グルーピング情報の検索機能を説明するための図である。
【００８６】
図１０を参照すれば、制御部１６０は、ユーザ選択によって少なくとも１つの対話グルーピング情報に該当するアイコンタイプの表示アイテム４２が表示された画面を１００１画面のように出力することができる。このために、制御部１６０は、対話情報５０が記載された画面を表示部１４０に出力し、ユーザのスクロールイベントなどによって少なくとも１つのアイコンタイプの表示アイテム４２を含む１００１画面を表示部１４０に出力するように制御することができる。一方、表示された少なくとも１つのアイコンタイプの表示アイテム４２のうちいずれか１つの高速閲覧画面表示のための入力信号が発生すれば、制御部１６０は、１００３画面のように選択されたアイコンタイプの表示アイテム４２に含まれた対話情報のうち一部の情報が一定領域内に表示される高速閲覧画面タイプの表示アイテム４１を１００３画面のように出力することができる。
【００８７】
例えば、１００１画面で、特定アイコンタイプの表示アイテム４２の選択のためのタップイベントが発生すれば、制御部１６０は、１００３画面のように、選択されたアイコンタイプの表示アイテム４２に該当する対話グルーピング情報に含まれた対話情報のうち一部の対話情報が出力される高速閲覧画面タイプの表示アイテム４１を出力することができる。この過程で、制御部１６０は、表示部１４０の出力領域制御を通じて高速閲覧画面タイプの表示アイテム４１の出力領域を確保することができる。すなわち制御部１６０は、他のアイコンタイプの表示アイテム４２を表示部１４０の出力領域から一定部分押し出し、選択されたアイコンタイプの表示アイテム４２の高速閲覧画面タイプの表示アイテム４１の出力領域を確保することができる。
【００８８】
一方、１００３画面で、高速閲覧画面タイプの表示アイテム４１に対して全体閲覧画面呼出のためのイベントが発生すれば、制御部１６０は、１００５画面に分岐し、選択された高速閲覧画面タイプの表示アイテム４１の全体閲覧画面を出力するように支援することができる。すなわち制御部１６０は、選択された高速閲覧画面タイプの表示アイテム４１に該当する対話グルーピング情報が含まれた対話情報５０を表示するものの、表示部１４０の画面全体を利用して出力するように支援することができる。
【００８９】
一方、前述した説明では、対話グルーピング情報の高速閲覧画面タイプの表示アイテム出力及び全体閲覧画面出力を段階的に行う機能について説明したが、本発明は、これに限定されるものではない。すなわち制御部１６０は、１００７画面、１００９画面のように特定イベントが発生すれば、アイコンタイプの表示アイテム４２に対する高速閲覧画面出力なしに全体閲覧画面にすぐ進入するように制御することもできる。すなわち１００７画面のように多数のアイコンタイプの表示アイテム４２が出力された画面でユーザが特定アイコンタイプの表示アイテム４２が出力された表示部１４０上で既定のイベント、例えばピンチズームイベントを生成すれば、制御部１６０は、１００９画面のように、選択された対話グルーピング情報に含まれた対話情報を表示するとき、全体閲覧画面に出力するように支援することができる。
【００９０】
また、制御部１６０は、全体閲覧画面が出力された１００５画面または１００９画面で発生するタッチイベントによって復帰する画面を異なるように調整することができる。例えば、制御部１６０は、全体閲覧画面で以前画面復帰に該当するイベントが発生すれば、１００３画面に復帰するように制御することができる。また、制御部１６０は、全体閲覧画面で最初画面、すなわち１００１画面または１００７画面に復帰するためのイベントに該当するピンチズームイベントが発生すれば、当該画面にすぐ復帰するように制御することができる。
【００９１】
図１１は、本発明の実施例による対話グルーピング情報表示のためのアイコンタイプ表示アイテムの第１形態を説明するための図である。
【００９２】
図１１を参照すれば、本発明の対話グルーピング情報は、表示部１４０に出力されることができる一定サイズの長さと幅を有する領域の表示アイテム、すなわちアイコンタイプの表示アイテム４２で構成されることができる。この際、アイコンタイプの表示アイテム４２は、図示のように、時間領域４０１、重要度領域４０２、内容領域４０３、タッグ領域４０４及び余白領域４０７を含むことができる。
【００９３】
時間領域４０１は、対話グルーピング情報に含まれた対話情報が送受信された時間情報が記入される領域である。制御部１６０は、対話グルーピング情報生成過程でグルーピング条件によって対話情報の時間情報を収集し、これを対話グルーピング情報に一緒に格納するように制御する。
【００９４】
重要度領域４０２は、対話グルーピング情報の重要度設定値を示す領域である。この領域は、重要度領域４０２を示すと共に、ユーザ制御によって当該重要度が変更されることができるように支援する。制御部１６０は、重要度領域４０２で発生するタッチイベントなどによって当該対話グルーピング情報の重要度を変更するように制御することができる。この際、重要度は、一段階ではなく、多数の段階に設定されることができ、設定された重要度によって異なる形態のアイコンやイメージまたはテキストなどで出力されることができる。これにより、重要度領域４０２は、重要度の段階によって異なる形態のアイコンや、イメージ、またはテキストを出力することができ、同一形態であるとしても、色や明暗などを異なるように表示することができる。
【００９５】
内容領域４０３は、対話グルーピング情報がどんな対話情報を格納しているかをユーザに直観的に知らせることができる情報が記載されることが好ましい。これにより、内容領域４０３には、対話グルーピング情報に含まれた対話情報と連関された情報が記入されることができる。このために、制御部１６０は、対話グルーピング情報に含まれた対話情報のうち最も長い内容を含む対話情報の内容のうち少なくとも一部を内容領域４０３に自動記入するように制御することができる。または、制御部１６０は、対話グルーピング情報に含まれた対話情報のうち最もしばしば登場する単語が最も多く含まれた対話情報の内容のうち少なくとも一部を内容領域４０３に自動記入するように制御することができる。このような自動記入方法は、事前定義された設定によって対話情報のうち特定内容を抜粋し、内容領域４０３に記入する方法になることができる。または、対話の文脈を理解する技術を利用して対話の内容を自動で抽出し、単純な文章で整理して表記することもできる。このために、端末機１００は、談話分析技術支援のためのアルゴリズムとデータベースを格納するか、これを提供するサーバー接続を支援することができる。一方、内容領域４０３には、ユーザが直接記載した特定情報が記入されることもできる。このために、制御部１６０は、対話グルーピング情報が生成される過程で、内容領域４０３に内容を記入することができる手続や項目を提供し、ユーザが入力した特定情報を内容領域４０３に記入するように支援することができる。また、内容領域には、当該対話グルーピング情報内に存在する対話の個数を表記し、対話情報を把握しやすいようにすることもできる。
【００９６】
タッグ領域４０４は、対話グルーピング情報に含まれた対話情報が含む有意味な単語の頻度数によって特定単語をタッグで指定して提供する領域になることができる。このために、制御部１６０は、対話情報を分析し、一定頻度以上に登場した有意味な単語を抽出した後、当該単語をタッグ領域４０４に出力するように制御することができる。この際、制御部１６０は、当該単語のうち頻度数が相対的に高い単語をタッグ領域４０４の上端に出力し、相対的に頻度数が低い単語は、タッグ領域４０４の下端に出力するように支援することもできる。すなわち制御部１６０は、頻度数によって出力される単語の位置に差別化することができる。また、制御部１６０は、一定回数以上の出現頻度を有する単語のみをタッグ領域４０４に出力するように支援することができる。
【００９７】
余白領域４０７は、前述した時間領域４０１、重要度領域４０２、内容領域４０３及びタッグ領域４０４が配置された残りの領域になることができる。この余白領域４０７は、基部領域４０５と側面領域４０６に区分されることができる。基部領域４０５は、多様な色と質感表現が適用されることができる領域である。色と質感などの色相は、当該対話グルーピング情報表示アイテムの重要度などによって変わることができ、ユーザ設定によって変わることができる。また、基部領域４０５の色相は、しばしば呼出されるまたは検索される頻度によって自動で事前定義された重要度が高い色に変更されることができる。ここで、色相の事前定義は、設計者によって設定されてデフォルトとして提供されるか、ユーザによって設定されることができる。
【００９８】
側面領域４０６の厚さまたは側面領域４０６の重畳数は、対話グルーピング情報の量を示すことができる。対話グルーピングを行う場合、前述した多様な基準のうち少なくとも１つの基準に対話をグルーピングすれば、対話グルーピング情報別にまとめる量が異なることができる。これにより、側面領域４０６は、対話グルーピング情報に含まれた対話の量が相対的に少ない場合、相対的に薄い厚さを有することができ、対話の量が相対的に多い場合、相対的に厚い厚さを有することができる。すなわち側面領域４０６の厚さは、対話グルーピング情報に含まれる対話の量によって変わることができる。
【００９９】
一方、前述した対話グルーピング情報に該当するアイコンタイプの表示アイテム４２は、それぞれ表示部１４０上で個別的に一定領域を割り当てられて出力されることを例にして説明したが、表示部１４０の画面領域が情報表示において充分に大きくない場合、図示のように、対話グルーピング情報に該当するアイコンタイプの表示アイテム４２を累積した形態で示し、これを側面領域４０６に表示することができる。ユーザは、アイコンタイプの表示アイテム４２領域上で特定タッチイベント、例えば、フリックイベントなどを生成し、現在表示されたアイコンタイプの表示アイテム４２の下方に重畳されて配置された他の対話グルーピング情報に該当するアイコンタイプの表示アイテムを検索することができる。
【０１００】
一方、余白領域４０７のエッジ部には、下部に他の表示アイテムがあることを指示すると共に、表示アイテムめくりが可能であることを指示する折れたエッジ領域４０８が設けられることができる。ユーザは、折れたエッジ領域４０８を選択するための信号、例えばタッチイベントを生成し、現在表示部１４０上に出力されたアイコンタイプの表示アイテム４２を除去し、重畳されて下方に位置する他のアイコンタイプの表示アイテム４２の検索を行うことができる。ここで除去された上部のアイコンタイプの表示アイテム４２は、当該表示アイテムが累積した部分で最下層に再配置されることもできる。
【０１０１】
また、エッジ部に形成された表示アイテムめくりが可能であることを指示する折れたエッジ領域４０８は、当該表示アイテムに該当する対話グルーピング情報の高速閲覧画面を見られるようにする領域になることができる。例えば、ユーザが表示アイテム４２のページめくりを折れたエッジ領域４０８の制御を通じて実行すれば、端末機１００は、上位ページの表示アイテム４２に該当する対話グルーピング情報の内容のうち一部の内容が表示された高速閲覧画面を出力するように支援することができる。この際、継続的に折れたエッジ領域４０８の制御を用いたページめくりが発生する場合、端末機１００は、当該対話グルーピング情報に含まれた話を一部ずつ順次に高速閲覧画面タイプに出力するように支援することができる。例えば、次のような対話が対話グルーピング情報に登録されたものと仮定する。
【０１０２】
【表１】
0006434199.tif 000002
【０１０３】
この状態で表示アイテム４２のページめくりが発生すれば、前記対話グルーピング情報の上端から一定個数、例えば３個ずつの対話が１つの高速閲覧画面に出力されることができる。すなわち手順上１−３番、４−６番、７−９番、１０番を含む４個の高速閲覧画面が表示アイテム４２の下部に配置され、ユーザのページめくりによってそれぞれの高速閲覧画面が表示されることができる。
【０１０４】
図１２は、本発明の実施例による対話グルーピング情報表示のための高速閲覧画面タイプの表示アイテムの第１形態を説明するための図である。
【０１０５】
図１２を参照すれば、本発明の端末機１００は、対話グルーピング情報を表示するために累積した形態の側面領域４０６を有し、一定領域４１０には、当該対話グルーピング情報に含まれた対話情報５０の少なくとも一部が出力される形態の表示アイテム、すなわち前述した高速閲覧画面タイプの表示アイテム４１を提供することができる。ここで、側面領域４０６は、当該対話相手に登録された対話グルーピング情報の個数に比例して変わることができる。一定領域４１０のサイズは、事前定義されて一定対話情報を出力することができる領域に定義されることができる。または、一定領域４１０のサイズは、ユーザの制御によって変わることができる。すなわちユーザが一定領域４１０の少なくとも１ヶ所の地点、例えばエッジを選択し、当該一定領域４１０のサイズ拡張のためのイベントを生成すれば、制御部１６０は、一定領域４１０のサイズを当該イベントによって調節するように支援することができる。一定領域４１０のサイズが変わる場合、制御部１６０は、一定領域４１０に出力される対話情報の量と表示されるサイズのうち少なくとも１つを調節することができる。
【０１０６】
また、前述した図１１でのアイコンタイプの表示アイテム４２と図１２で説明した高速閲覧画面タイプの表示アイテム４１が混用されて１つの画面に出力されることができる。すなわち対話グルーピング情報のうち一部情報は、アイコンタイプで表示され、一部情報は、高速閲覧画面タイプで表示されることができ、表示方法は、ユーザの選択によってトグル方式などによって変更されることができる。また、端末機１００は、デフォルトタイプでアイコンタイプ表示アイテム４２の表示を支援するか、または高速閲覧画面タイプ表示アイテム４１表示を支援し、ユーザが指定した情報に対してタイプ変更を支援することもできる。
【０１０７】
本発明の端末機１００は、高速閲覧画面タイプの表示アイテム４１は、ユーザ制御によって重畳されて現在現われない他の対話グルーピング情報を一層迅速に、または一層詳細に検索するように支援することができる。このために、制御部１６０は、高速閲覧画面タイプの表示アイテム４１の一側に検索サポート可能性を示す折れたエッジ領域４０８を構成することができる。これに関する説明は、図１３及び図１４を参照して説明する。
【０１０８】
図１３は、本発明の対話グルーピング情報の表示アイテムのうち高速閲覧画面タイプの表示アイテムを検索する１つの方法を説明するための図である。
【０１０９】
図１３を参照すれば、本発明の端末機１００は、一定領域内に対話グルーピング情報に含まれた対話情報のうち一部が表示された高速閲覧画面タイプの表示アイテム４１を出力することができる。この高速閲覧画面タイプの表示アイテム４１は、一定領域４１０と側面領域４０６を含んで構成されることができる。一定領域４１０は、前述した対話情報５０のうち一部の内容が表示される領域になることができる。また、側面領域４０６は、対話グルーピング情報の個数に対応する領域として定義され、これにより、対話グルーピング情報の個数によって厚さが変わることができる。また、高速閲覧画面タイプの表示アイテム４１は、１３０１画面のように、複数の対話グルーピング情報を示すために重畳された形態で表示されることができる。ここで、高速閲覧画面タイプの表示アイテム４１は、下部に配置された他の対話グルーピング情報に対応する高速閲覧画面タイプの表示アイテム検索のために一定領域に他の表示アイテム検索可能を示す処理を行うことができる。例えば、表示アイテム４１は、一側のエッジ部が折れた形態の折れたエッジ領域４０８を提供することができる。
【０１１０】
一方、ユーザは、１３０１画面のように、高速閲覧画面タイプの表示アイテム４１が出力されれば、側面領域４０６のうち一部領域をタッチし、下部に配置された表示アイテムが表示されるように制御することができる。すなわちユーザは、折れたエッジ領域４０８上で最上層の高速閲覧画面タイプの表示アイテム４１１をめくるタッチイベント、例えばドラッグまたはフリックイベントを生成するための動作を行うことができる。
【０１１１】
それでは、制御部１６０は、１３０３画面のように、最上層の高速閲覧画面タイプの表示アイテム４１１をタッチイベント方向にめくるように表示しながら下部に配置された高速閲覧画面タイプの表示アイテム４１２が見えるように表示することができる。この際、最上層の表示高速閲覧画面タイプの表示アイテム４１１の移動速度と距離は、タッチイベント速度と距離に対応する値になることができる。一方、制御部１６０は、最上層の高速閲覧画面タイプの表示アイテム４１１の折れたエッジ領域４０８が既定の一定距離以上に移動する場合、最上層の高速閲覧画面タイプの表示アイテム４１１を画面で除去し、下部に配置された高速閲覧画面タイプの表示アイテム４１２の一定領域全体が見えるように制御することができる。ここで除去された最上層の高速閲覧画面タイプの表示アイテム４１１は、当該表示アイテムが累積した部分で最下層に再配置されることもできる。
【０１１２】
前述したように、本発明の制御部１６０は、側面領域４０６のうち一定厚さの側面を選択するための一定位置をタッチした後、一定方向にタッチした前記一定厚さの側面領域を移動させるタッチイベントが収集されれば、前記タッチイベントによって一定厚さの側面領域に該当する高速閲覧画面タイプの表示アイテム４１を前記一定方向に曲がるように移動させながら移動によって露出した領域に下部の他の高速閲覧画面タイプの表示アイテム４１２を露出させるように制御する。また、制御部１６０は、前記側面領域４０６が一定距離以上に移動することによって曲がって移動した高速閲覧画面タイプの表示アイテムのうちタッチイベントが解除された表示アイテムを元々の位置に復帰させることによって、一定領域を露出させるように制御することができる。
【０１１３】
図１４は、本発明の対話グルーピング情報の表示アイテムのうち高速閲覧画面タイプの表示アイテムを検索する他の方法を説明するための図である。
【０１１４】
図１４を参照すれば、制御部１６０は、１４０１画面と同様に、対話グルーピング情報に含まれた対話情報のうち一部を高速閲覧画面タイプの表示アイテム４１の一定領域に出力することができる。高速閲覧画面タイプの表示アイテム４１は、対話情報のうち一部の内容が表示される一定領域４１０と対話グルーピング情報の累積した形態を示す側面領域４０６を含んで構成されることができる。一定領域４１０のエッジの一定領域は、折れた形態で表示され、下部に他の表示アイテムが存在することを示すことができる。下部に他の表示アイテムがない場合、エッジ領域４０８は、折れない状態を維持することができる。
【０１１５】
一方、ユーザは、迅速な検索を行うために、１４０１画面のように、右側側面領域４０６をタッチすることができる。それでは、制御部１６０は、右側側面領域４０６で発生したタッチイベントを対話グルーピング情報の迅速な検索のためのタッチイベントとして認識することができる。
【０１１６】
その後、ユーザがドラッグイベントを生成する場合、制御部１６０は、１４０３画面のように、側面領域４０６を当該ドラッグイベントが発生した位置まで移動させるように制御することができる。この際、制御部１６０は、一定領域４１０を曲がるように表示することができる。また、制御部１６０は、側面領域４０６で発生したタッチイベントの面積またはタッチイベント発生時点に対比して移動させる側面領域４０６の厚さまたは側面領域４０６に含まれた対話グルーピング情報の個数を決定することができる。また、制御部１６０は、側面領域４０６が最初位置から一定距離だけ離隔される場合、１４０５画面のように、ページめくりが発生するように制御することができる。例えば、制御部１６０は、側面領域４０６をドラッグイベントによって移動させながら、一定領域の一定地点、例えば１／３地点まで移動する場合、当該地点からは、側面領域４０６を固定させ、側面領域４０６に含まれた対話グルーピング情報に該当する高速閲覧画面タイプの表示アイテムを最初位置に復帰するように制御することができる。この際、制御部１６０は、タッチダウンイベントの領域を脱した高速閲覧画面タイプの表示アイテムだけが最初位置に復帰するように制御することができる。これにより、ユーザは、タッチドラッグ速度調節を通じて対話グルーピング情報の検索を迅速にするか、遅くするなどの速度調節を一層容易に行うことができる。
【０１１７】
一方、前述した説明では、高速閲覧画面タイプの対話グルーピング情報表示アイテム検索について説明したが、本発明がこれに限定されるものではない。すなわち図１３及び図１４で説明した表示アイテム検索方法は、図１１で説明したアイコンタイプ対話グルーピング情報表示アイテム検索時にも同一に適用することができる。
【０１１８】
図１５は、図１１で説明したアイコンタイプ表示アイテムの第２形態を示す図であり、図１６は、図１２で説明した高速閲覧画面タイプの表示アイテムの第２形態を示す図である。
【０１１９】
図１５を参照すれば、本発明の対話グルーピング情報を示す形態のうちアイコンタイプの表示アイテム４２は、基部領域４０５とロール領域４０９を含むことができる。基部領域４０５は、図１１で説明した構成と同一の構成を含むので、それに関する詳細な説明を省略する。
【０１２０】
一方、本発明の対話グルーピング情報に該当するアイコンタイプの表示アイテム４２は、図示のように、端部領域が巻かれた形態のロール領域４０９を含むことができる。特に前記アイコンタイプの表示アイテム４２は、上側端部は、内側方向に巻かれた形態に出力されて下側端部は、外側方向に巻かれた形態で出力されることができる。または、アイコンタイプの表示アイテム４２は、同一の方向に巻かれた形態で出力されることもできる。
【０１２１】
一方、前記アイコンタイプの表示アイテム４２の巻かれた程度は、当該アイコンタイプの表示アイテム４２に対応する対話グループ情報が含む対話情報の量に対応することができる。すなわち対話グループ情報に対話情報の量が多い場合、アイコンタイプの表示アイテム４２の巻かれた回数が増加するか、厚さが増加することができる。これにより、ユーザは、アイコンタイプの表示アイテム４２の巻かれた程度を通じて対応する対話グループ情報に含まれた対話情報量を推し量ることができる。
【０１２２】
図１６を参照すれば、本発明の対話グルーピング情報を示す形態のうち高速閲覧画面タイプの表示アイテム４１は、図示のように、対話情報のうち一部が出力される一定領域４１０と、一定領域４１０の端部に該当するロール領域４０９を含むことができる。ここで、ロール領域４０９は、図１５で説明したロール領域４０９のように、対話情報の包含量によって厚さや巻かれた回数が変更されることができる。
【０１２３】
特に本発明の高速閲覧画面タイプの表示アイテム４１は、一定領域内でスクロールイベントが発生する場合、対話情報内容を上側または下側に隠された領域に配置された対話情報を出力しながら、ロール領域４０９を一定方向に回転させるように制御することができる。例えば、スクロールイベントが上側方向に発生すれば、ロール領域４０９は、内側方向に回転するように表示されることができる。これと共に、一定領域４１０には、対話情報がスクロールイベントによって更新されることができる。一方、高速閲覧画面で既定のタッチイベントが発生すれば、全体閲覧画面に転換されることができる。この場合、ロール領域４０９の表示は、表示部１４０で除去されることができる。
【０１２４】
以上説明したように、本発明の実施例による対話情報表示方法は、対話情報を一定条件によってグルーピングし、対話グルーピング情報を生成して運用することができるように支援する。これにより、ユーザは、一層迅速な対話情報検索を行うことができ、対話情報の管理を一層容易に行うことができる。
【０１２５】
一方、前記端末機１００は、その提供形態に近距離通信のための近距離通信モジュール、前記端末機１００の有線通信方式または無線通信方式によるデータ送受信のためのインターフェース、インターネットネットワークと通信してインターネット機能を行うインターネット通信モジュール及びデジタル放送受信と再生機能を行うデジタル放送モジュールなどのように前記で言及されていない構成を含むこともできる。このような構成要素は、デジタル機器のコンバージェンス（ｃｏｎｖｅｒｇｅｎｃｅ）傾向によって変形が非常に多様で、すべて列挙することはできないが、前記言及された構成要素と同等な水準の構成要素が前記端末機１００に追加にさらに含まれて構成されることができる。また、本発明の端末機１００は、その提供形態によって上記した構成で特定構成が除外されるか、他の構成に代替されることもできることは勿論である。これは、本技術分野における通常の知識を有する者にとって容易に理解されることができる。
【０１２６】
また、本発明の実施例による前記端末機１００は、メニューページと同一レベルの基本ページを提供することができるすべての形態のデバイスを含むことができる。例えば、前記端末機１００は、多様な通信システムに対応する通信プロトコル（ｃｏｍｍｕｎｉｃａｔｉｏｎ  ｐｒｏｔｏｃｏｌｓ）に基づいて動作するすべての移動通信端末機（ｍｏｂｉｌｅ  ｃｏｍｍｕｎｉｃａｔｉｏｎ  ｔｅｒｍｉｎａｌｓ）を含めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノートパソコン（Ｎｏｔｅｂｏｏｋ  computer ）及びハンドヘルドパソコンなどすべての情報通信機器とマルチメディア機器及びそれに対する応用機器を含むことができる。
【０１２７】
以上、本発明をいくつかの好ましい実施例を使用して説明したが、これらの実施例は、例示的なものであって、限定的なものではない。このように、本発明が属する技術分野における通常の知識を有する者なら本発明の思想と添付の特許請求範囲に提示された権利範囲から逸脱することなく、均等論によって多様な変化や修正を行うことができることを理解することができる。
【符号の説明】
【０１２８】
１００  端末機
１１０  通信部
１２０  入力部
１３０  オーディオ処理部
１４０  表示部
１４１  表示パネル
１４３  タッチパネル
１５０  格納部
１６０  制御部
１６１  タッチイベント収集部
１６３  対話グルーピング情報運用部
１６５  対話機能支援部
【図１】
0006434199.tif 000003
【図２】
0006434199.tif 000004
【図３】
0006434199.tif 000005
【図４】
0006434199.tif 000006
【図５】
0006434199.tif 000007
【図６】
0006434199.tif 000008
【図７】
0006434199.tif 000009
【図８】
0006434199.tif 000010
【図９】
0006434199.tif 000011
【図１０】
0006434199.tif 000012
【図１１】
0006434199.tif 000013
【図１２】
0006434199.tif 000014
【図１３】
0006434199.tif 000015
【図１４】
0006434199.tif 000016
【図１５】
0006434199.tif 000017
【図１６】
0006434199.tif 000018